(57)【特許請求の範囲】
【請求項１】
遊技機に併設される各台対応装置であって、
前記遊技機にて獲得された遊技媒体を受入部から受け入れて計数する計数手段と、
前記計数手段にて計数された遊技媒体を装置外部に排出する排出部と、
前記遊技機に対し、所定数ずつの遊技媒体の投出を指示する投出指示手段と、
遊技媒体の払出を行う払出機構と、
前記払出機構に装置外部から遊技媒体を供給する供給部と、
所定の操作に基づいて、前記計数手段にて計数された計数遊技媒体数の範囲内において遊技媒体の投出処理を行う投出処理手段とを含み、
前記投出処理手段は、投出する遊技媒体のうち、前記所定数ずつの遊技媒体については前記投出指示手段により投出処理を行い、前記所定数に満たない遊技媒体については前記払出機構により払出処理を行う機能を有し、
前記払出機構の一部分は、前記受入部とは別個に自装置から分離可能であることを特徴とする、各台対応装置。
【請求項２】
払い出される遊技媒体を貯留するための貯留部が前記払出機構の一部分として設けられ、当該貯留部が、前記受入部とは別個に自装置から分離可能であることを特徴とする、請求項１記載の各台対応装置。
【請求項３】
払い出される遊技媒体を前記遊技機に設けられる所定の遊技機貯留部に供給するための供給樋が前記払出機構の一部分として設けられ、当該供給樋が、前記受入部とは別個に自装置から分離可能であることを特徴とする、請求項１記載の各台対応装置。
【請求項４】
前記払出機構の一部分が分離されているか否かを検出する検出手段を有することを特徴とする、請求項１〜３記載の各台対応装置。
【請求項５】
前記払出機構に遊技媒体が供給されているか否かを検出する検出手段を有することを特徴とする、請求項１〜４記載の各台対応装置。
【請求項６】
前記払出機構の一部分が分離されているか否かに基づいた動作態様を設定する動作態様設定手段を有することを特徴とする、請求項１〜５記載の各台対応装置。
【発明の詳細な説明】
【技術分野】
【０００１】
この発明は、遊技店における各台対応装置に関する。
【背景技術】
【０００２】
遊技店では、パチンコ機等の各遊技機に１対１に対応付けて、各台対応型の遊技媒体貸出機が備えられる。この遊技媒体貸出機は、遊技機と通信可能に接続されている。遊技客からの貸出指示操作があると、遊技媒体貸出機は、所定数の遊技玉を一単位とする払出要求信号（パルス信号）を送出する。遊技機は、この払出要求信号を受信するごとに、所定数（たとえば、２５玉）の遊技玉を貸出しのために払い出す。
【０００３】
ところで、近年の遊技媒体貸出機として、遊技機が獲得した遊技玉を計数する各台計数型の遊技媒体貸出機が知られている。遊技媒体貸出機が計数した遊技媒体は遊技客の持玉として当該遊技客に関連付けられており、遊技客は、自己に関連付けられた持玉を再利用することができる。
持玉を再利用するときには、遊技客は、遊技媒体貸出機に備えられている払出ボタンを操作する。この操作により、遊技媒体貸出機に払出要求信号が与えられる。持玉の払出しとしては様々知られているが、下記の特許文献１では次のような持玉の払出しが行われている。
【０００４】
すなわち、遊技媒体貸出機は、さらに遊技媒体貸出機本体の前面に設けられた容器状の端玉貯留皿と、この端玉貯留皿に遊技玉を払い出す払出ユニットとを備えている。
そして、遊技客からの払出操作に基づく払出要求信号を受信すると、遊技媒体貸出機は、所定数（たとえば、２５玉）の払出単位を一単位として、遊技媒体貸出機からの払出要求信号（たとえばパルス信号）を送出する。この持玉を払い出すための払出要求信号は貸玉を払い出すための払出要求信号と同等の信号である。遊技機は、この払出要求信号を受信するごとに、前記の所定数（たとえば、２５玉）の遊技媒体を持玉払出しのために払い出す。そして、遊技媒体貸出機が持玉として払い出すべき遊技玉のうち払出単位に満たない端数の遊技玉（つまり端玉）が、払出ユニットによって端玉貯留皿に払い出されるようになっている。
【先行技術文献】
【特許文献】
【０００５】
【特許文献１】特開２０１０−２４６７４６号公報
【発明の概要】
【発明が解決しようとする課題】
【０００８】
この発明は、遊技店における運用に対応できる各台対応装置を提供することを目的とする。
【課題を解決するための手段】
【０００９】
前述の目的を達成するための請求項１記載の発明は、遊技機に併設される各台対応装置であって、前記遊技機にて獲得された遊技媒体を受入部から受け入れて計数する計数手段と、前記計数手段にて計数された遊技媒体を装置外部に排出する排出部と、前記遊技機に対し、所定数ずつの遊技媒体の投出を指示する投出指示手段と、遊技媒体の払出を行う払出機構と、前記払出機構に装置外部から遊技媒体を供給する供給部と、所定の操作に基づいて、前記計数手段にて計数された計数遊技媒体数の範囲内において遊技媒体の投出処理を行う投出処理手段とを含み、前記投出処理手段は、投出する遊技媒体のうち、前記所定数ずつの遊技媒体については前記投出指示手段により投出処理を行い、前記所定数に満たない遊技媒体については前記払出機構により払出処理を行う機能を有し、前記払出機構の一部分は、前記受入部とは別個に自装置から分離可能であることを特徴とする、各台対応装置である。
【００１１】
請求項２記載の発明のように、払い出される遊技媒体を貯留するための貯留部が前記払出機構の一部分として設けられ、当該貯留部が、前記受入部とは別個に自装置から分離可能であってもよい。
また、請求項３記載の発明のように、払い出される遊技媒体を前記遊技機に設けられる所定の遊技機貯留部に供給するための供給樋が前記払出機構の一部分として設けられ、当該供給樋が、前記受入部とは別個に自装置から分離可能であってもよい。
【００１２】
請求項４記載の発明のように、前記払出機構の一部分が分離されているか否かを検出する検出手段を有してもよい。また、請求項５記載の発明のように、前記払出機構に遊技媒体が供給されているか否かを検出する検出手段を有してもよい。また、請求項６記載の発明のように、前記払出機構の一部分が分離されているか否かに基づいた動作態様を設定する動作態様設定手段を有してもよい。
【図面の簡単な説明】
【００１５】
【図１】本発明の一実施形態に係る遊技媒体貸出機および遊技媒体貸出システムが組み込まれた遊技店の構成を示すブロック図である。
【図２】図１に示す遊技媒体貸出機および遊技機の概略構成を説明するための模式的な正面図である。
【図３】図２に示す遊技媒体貸出機の構成を示す斜視図である（その１）。
【図４】図２に示す遊技媒体貸出機の構成を示す斜視図である（その２）。
【図５】図２に示す遊技媒体貸出機の構成を示す斜視図である（その３）。
【図６】第２センサによる検出を説明するための模式的な図である。
【図７】遊技媒体貸出機の電気的構成の要部を示すブロック図である。
【図８】１玉単位払出方式の払出処理を実行する場合における遊技媒体貸出機と遊技機との電気的接続を示す図である。
【図９】払出単位払出方式の払出処理を実行する場合における遊技媒体貸出機と遊技機との電気的接続を示す図である。
【図１０】遊技媒体貸出機の持玉払出モードであるモード１を説明するための図である。
【図１１】遊技媒体貸出機の持玉払出モードであるモード２を説明するための図である。
【図１２】遊技媒体貸出機の持玉払出モードであるモード３を説明するための図である。
【図１３】図１に示す遊技媒体貸出機における持玉払出モードの選択設定動作を示すフローチャートである。
【図１４】この発明の他の実施形態に係る遊技媒体貸出機の構成を説明するための模式的な正面図である。
【図１５】図１４に示す遊技媒体貸出機における持玉払出モードの選択設定動作を示すフローチャートである。
【発明を実施するための形態】
【００１６】
以下では、この発明の実施の形態を、添付図面を参照して詳細に説明する。図１は、本発明の一実施形態に係る遊技媒体貸出システムが組み込まれた遊技店の構成を示すブロック図である。
遊技店内に組み込まれた遊技媒体貸出システムは、遊技店内に設置された複数の遊技機２と、各遊技機２に１対１に対応付けられつつ設けられた、計数機能付きの遊技媒体貸出機１とを備えている。遊技店内には複数の遊技島が配置されており、各遊技島は、複数の遊技機２および複数の遊技媒体貸出機１の対を、正面を向いた状態に並べて遊技機列を形成し、この遊技機列をたとえば背中合わせで２列に配置することにより構成されている。この実施形態では、遊技機２はパチンコ機であり、遊技媒体貸出機１は、遊技機２から遊技媒体としての遊技玉を払い出させる（貸し出す）遊技玉貸出装置である。各遊技媒体貸出機１は、対応する遊技機２における遊技に使用する遊技玉を貸し出す貸出機能と、対応する遊技機２から排出された遊技玉を計数する計数機能とを備えている。各遊技媒体貸出機１は、各遊技島に設けられた島コントローラ４に通信可能に接続されている。各島コントローラ４は管理装置（Terminal/computer）５に対して通信可能に接続されている。
【００１７】
管理装置５は、遊技媒体貸出機１における遊技玉の貸出しに関するデータおよび遊技媒体貸出機１における遊技玉の計数に関するデータ（持玉データ等）を管理するものであり、遊技店内における従業員事務所等に配置されている。管理装置５と各遊技媒体貸出機１との間の通信は、その遊技媒体貸出機１に対応する島コントローラ４を介して行われる。管理装置５は、マイクロコンピュータ等で構成された管理装置制御部（装着阻止制御手段）６を備えている。管理装置制御部６が管理装置５の動作を制御する。
【００１８】
管理装置制御部６には、管理装置記憶部８および管理装置通信Ｉ／Ｆ（インターフェイス）部（図示しない）が電気的に接続されている。管理装置制御部６は、この管理装置通信Ｉ／Ｆ部および島コントローラ４を介して遊技機２および遊技媒体貸出機１のそれぞれと通信することができるようになっている。管理装置記憶部８には、遊技客の持玉データ（遊技媒体数関連情報）が、各カードＩＤに対応付けて記憶されている。
【００１９】
遊技店で遊技を行う遊技客は、遊技店に会員登録している会員客と、会員客以外の一般客とに区別される。各会員客には、会員専用の会員カード（遊技用記憶媒体）が遊技店から発行されている。これに対し、一般客向けのカード（遊技用記憶媒体）もあり、このカードは一般カードと呼ばれる。会員カードおよび一般カードの別を問わず、各カードには識別情報としてのカードＩＤが割り当てられている。
【００２０】
図２は、遊技媒体貸出機１および遊技機２の概略構成を説明するための模式的な正面図である。
遊技機２は、たとえば遊技盤７に向けて遊技玉を発射することにより遊技を行うパチンコ機である。遊技機２の前面には、発射装置（図示しない）から遊技盤７に向けて発射する遊技玉の勢いを調節するためのハンドル１１と、発射装置から遊技盤７に向けて発射すべき遊技玉を貯留しておくための上皿（遊技機貯留部）９と、上皿９から溢れた遊技玉を貯留しておくための下皿１０とが備えられている。
【００２１】
上皿９には、カード挿入／排出口１６から次に述べるカードを排出するために押操作される返却ボタン２１と、玉貸のために押操作される貸出ボタン４５と、遊技媒体貸出機１に受け付けられているカードに記憶されているプリペイド価値の残高（以下、単に「プリペイド残高」という）を度数表示するための度数表示器４４とが配設されている。
遊技機２の内部には、遊技玉を払い出す（投出する）ための投出装置（第２払出ユニット４６が搭載されている。この投出装置４６は、遊技玉を１玉ずつ払い出す公知の構成の投出装置であり、投出装置４６から投げ出された遊技玉は、上皿９に払い出され、この上皿９に溜められるようになっている。
【００２２】
下皿１０の底面には、当該下皿１０に貯留している遊技玉を排出するための排出口（図示しない）が形成されている。この排出口は通常シャッタ（図示しない）によって閉塞されてり、このシャッタの開放により、下皿１０に貯留されている遊技玉が下方に向けて排出される。
島設備の膳板９１には、吸殻回収装置（図示しない）が内蔵されており、この吸殻回収装置の灰皿部９０（吸殻投入部）が、膳板９１上面における、下皿１０左端部の下方部分に設けられている。
【００２３】
各遊技媒体貸出機１は、対応する遊技機２の隣（図２では左隣）に設置されており、また、隣り合う遊技機２間に挟まれた状態に設けられている。遊技媒体貸出機１は、遊技機２で遊技するための遊技玉を貸し出す機能だけでなく、遊技によって遊技機２から排出された遊技玉を計数する機能を有している。
遊技媒体貸出機１における遊技玉の貸出しまたは遊技玉の計数には、貸出媒体としてのカードが用いられる。カードには、１枚毎にカードＩＤが割り当てられている。カードには、プリペイド残高や、持玉に関するデータ（以下、「持玉データ」という）が関連付けられている。
【００２４】
遊技媒体貸出機１は、縦長の筐体からなる本体部１１を備えている。遊技媒体貸出機１の本体部１１の前面には、状態表示ランプ１２、紙幣挿入部１３、非接触用Ｒ／Ｗ部２２、操作表示部１４およびカード挿入／排出口１６が、上からこの順で設けられている。本体部１１には、下側から下部ユニット１７が取り付けられている。
状態表示ランプ１２は、たとえば所定の色やパターンで発光することによって、遊技玉の貸出動作が可能な状態か否かを表示する。たとえば貸出動作が可能であるときは状態表示ランプ１２が点灯状態になる。
【００２５】
紙幣挿入部１３は、遊技客の紙幣を受け付ける縦長のスリット状をなしており、本体部１１内に設けられた紙幣識別部３２（図７参照）につながっている。
非接触用Ｒ／Ｗ部２２は、遊技客が保持する携帯電話機の非接触ＩＣと非接触通信可能に設けられている。携帯電話機の非接触ＩＣを非接触用Ｒ／Ｗ部２２にタッチ（接近）させることにより、非接触用Ｒ／Ｗ部２２と携帯電話機の非接触ＩＣとの間で非接触無線通信を実行することができる。
【００２６】
操作表示部１４は、小型画面２６と、複数（たとえば１４個）の操作キー２７とを含んでいる。各操作キー２７内にはＬＥＤなどの光源が内蔵されており、各操作キー２７は発光可能に構成されている。この操作表示部１４の操作により、遊技媒体貸出機１に所定の情報を入力することができるようになっている。
カード挿入／排出口１６は、カードＩＤを含む所定の情報が記録されたカードを挿入または排出する縦長のスリット状のものである。
【００２７】
図３〜図５は、遊技媒体貸出機１の下部ユニット１７の構成を示すための斜視図である。図４には、下部ユニット１７から次に述べる端玉貯留皿（貯留部）１５を分離させた状態を示し、図５には、下部ユニット１７から、次に述べる計数部２０の左部を露出させた構成を示している。下部ユニット１７は、遊技媒体貸出機１の本体部１１の下端部に配置される計数・端玉払出ユニット１７Ａと、遊技機２の前面下方部に配置される皿ユニット１７Ｂと、計数・端玉払出ユニット１７Ａと皿ユニット１７Ｂとを接続する管状の通路ユニット１７Ｃとを備えている。以下、図３〜図５を参照しつつ、計数・端玉払出ユニット１７Ａ、皿ユニット１７Ｂおよび通路ユニット１７Ｃの構成について説明する。
【００２８】
図５に示すように、計数・端玉払出ユニット１７Ａは、略矩形箱状のケーシング５０を有している。このケーシング５０内に、後述する受け皿１９に受けられた遊技玉を計数するための計数部（計数手段）２０と、皿ユニット１７Ｂの後述する端玉貯留皿１５に向けて遊技玉を払い出すための端玉払出機構（払出機構）５１とを備えている。
端玉払出機構５１は、略前後方向に延びる角管状の玉樋５２と、玉樋５２の途中部に配設された玉送出部５３と、玉樋５２における玉送出部５３に対する上流側部分５２Ａ、および玉送出部５３に対する下流側部分５２Ｂにそれぞれ配設された一対の玉検出センサ５４Ａ，５４Ｂとを備えている。
【００２９】
玉樋５２の上流端には、遊技島内の玉循環機構（図示しない）からの島ジャバラ（図示しない）の下流端が接続されており、玉循環機構によって循環される遊技玉が島ジャバラを介して供給されるようになっている。玉樋５２は玉送出部５３の配設部分で屈曲している。玉樋５２の上流側部分５２Ａおよび下流側部分５２Ｂはそれぞれ、下流側（前側）に向かうに従って下に向く直線傾斜状をなしているが、下流側部分５２Ｂは上流側部分５２Ａに比べて急勾配にされている。玉樋５２の下流側部分５２Ｂは、ケーシング５０に形成された玉出口（図示しない）を介して、通路ユニット１７Ｃの払出通路（図示しない）に連通している。
【００３０】
玉送出部５３は、玉樋５２の途中部（途中開口）に回転可能に配設された円盤状のスプロケット（カウンタホイール）５５と、スプロケット５５に接続されて、当該スプロケット５５を回転駆動させるためのカウンタ駆動モータ５６とを備えている。スプロケット５５は、玉樋５２の上流側部分５２Ａから供給される遊技玉を１玉ずつ取り込んで、下流側部分５２Ｂに向けて送り出す。
【００３１】
具体的には、静止状態にあるスプロケット５５により、玉樋５２の上流側部分５２Ａにある遊技玉の通過を規制している。そして、カウンタ駆動モータ５６を駆動してスプロケット５５を回転させることにより、玉樋５２の上流側部分５２Ａの遊技玉がスプロケット５５のピッチ内に一玉ずつ取り込まれ、その遊技玉が玉樋５２の下流側部分５２Ｂに順次送り出される構成になっている。なお、玉送出部５３は、制御部３１（図７参照）からの払出要求信号があると、カウンタ駆動モータ５６が払出要求信号に応じた回転角度（端数の遊技玉を払い出せる回転角度）で回転する。これにより、玉樋５２の下流側部分５２Ｂに、端数の遊技玉が送り出される。
【００３２】
各玉検出センサ５４Ａ，５４Ｂは、たとえば静電容量式の磁気センサである。各玉検出センサ５４Ａ，５４Ｂには、玉樋５２を流通する遊技玉が通過する通過孔（円孔）が形成されている。各玉検出センサ５４Ａ，５４Ｂの検出出力は、後述する制御部３１（図７参照）に入力されるようになっている。
計数部２０は、ケーシング５０内において、端玉払出機構５１の下方に配設された箱状の計数ケーシング５８と、計数ケーシング５８内に設けられた計数センサ（図示しない）と、通路ユニット１７Ｃの後述する計数通路（図示しない）からの遊技玉を、計数センサに送るための玉通路（図示しない）とを備えている。玉通路は、ケーシング５０に形成された玉入口（図示しない）を介して、通路ユニット１７Ｃの計数通路に連通している。玉通路の下流端は、遊技島に設置された回収路（図示しない）に連通しており、計数センサを通過した計数済みの遊技玉は回収路に回収される。
【００３３】
図２〜図５に示すように、皿ユニット１７Ｂは、遊技機２の下皿１０と島設備の膳板９１との間に配置された（下皿１０の真下に配置された）受け皿１９と、受け皿１９に結合された端玉貯留皿１５と備えている。端玉貯留皿１５は平面視で、吸殻回収装置９１の灰皿部とその一部または全部が重複しており、また、端玉貯留皿１５と灰皿部９０とが接近している。そのため、端玉貯留皿１５が邪魔になって灰皿部９０に吸殻を投入し難くなっている。
【００３４】
端玉貯留皿１５は、受け皿１９の左手前部に隣接して配置されている。受け皿１９と端玉貯留皿１５とは別部材に設けられており、互いに着脱可能に取り付けられている。このように受け皿１９と端玉貯留皿１５とが隣接配置されているので、皿ユニット１７Ｂとして省スペース化を図ることができる。
受け皿１９は略扁平状をなしており、平面視で左右方向に長い略矩形をなしている。受け皿１９は、計数・端玉払出ユニット１７Ａに通路ユニット１７Ｃを介して支持されており、遊技機２の下皿１０（図２参照）の排出口（図示しない）の真下位置まで張り出している。
【００３５】
受け皿１９の上面は前縁部を除き略水平面に形成されている。受け皿１９の上面の前縁部は、前方に向かって下がる上に凸の湾曲面を有している。受け皿１９の上面の奥部分には、下皿１０（図２参照）の排出口から払い出された遊技玉を受け止めるための玉受け部６０が形成されている。当該玉受け部６０に受けられた遊技玉が、玉受け部６０から周囲に飛散することのないように、玉受け部６０の開口周縁全域には、上面よりも上方に張り出す樹脂製のガイド板６１が立設されている。
【００３６】
玉受け部６０は受け皿１９の上面より一段低く形成された底面を有し、この底面は、左方に向かうに従って低くなるように傾斜している。なお、玉受け部６０の底面に左右方向に延び、左方に向かうに従って低くなるレールが複数列前後に並んで配設されていてもよい。玉受け部６０における左端部、すなわち玉受け部６０で最も低部になる部分には玉送出口（図示しない）が開口している。玉送出口は、通路ユニット１７Ｃの計数通路と連通している。玉受け部６０に受けられた遊技玉は、玉送出口から、通路ユニット１７Ｃの計数通路に１玉ずつ供給されるようになっている。
【００３７】
玉受け部６０は、遊技機２の下皿１０（図２参照）の排出口（図示しない）の真下位置に配置されている。遊技機２のシャッタ（図示しない）の開放により、下皿１０に貯留されている遊技玉が受け皿１９に送り込まれる。
受け皿１９の上面には、カードに関連付けて記憶された持玉データを表示するための持玉表示部４７（図２参照）と、持玉払出ボタン４８（図２参照）とが配設されている。持玉払出ボタン４８は、持玉払出指令を入力（払出指示操作）するためのボタンである。持玉表示部４７には、計数値、持玉データ等が表示される。
【００３８】
受け皿１９の前端面は鉛直平坦面であり、左右方向に沿って延びている。また、受け皿１９の左端面および右端面のそれぞれは、鉛直平坦面であり前後方向に沿って延びている。図４に示すように、受け皿１９の前端面には、受け皿１９の左端面に連続する比較的大きな段部６３が形成されており、この段部６３によって、端玉貯留皿１５を収容するための収容空間６４が形成されている。
【００３９】
段部６３は、受け皿１９の前端面の後方に設けられて、当該受け皿１９の前端面に沿う第１取付面６５と、受け皿１９の左右方向の途中部に設けられて、受け皿１９の左端面に沿う第２取付面６６とを備えている。第１取付面６５の上縁部には、第１取付面６５の下部分よりも前方に張り出して、端玉貯留皿１５を取り付けるための取付部（被装着部）６７が形成されている。取付部６７の下面には、一または複数のねじ孔（図示しない）が形成されている。
【００４０】
受け皿１９の第１取付面６５における取付部６７の直下には、玉排出口６８が開口している。玉排出口６８は、受け皿１９内に形成された屈曲状の排出通路の下流端に形成されている。玉排出口６８は、排出通路および、払出通路の下流端に形成された玉流出口（図示しない）を介して、通路ユニット１７Ｃの払出通路と連通している。屈曲状の排出通路は、払出通路の玉流出口から右方に向けて延びるとともに、屈曲して前方に向けて延びる。
【００４１】
受け皿１９の収容空間６４には、有底箱状（容器状）の端玉貯留皿１５が収容されている。端玉貯留皿１５は、上向き凹状の略半球面からなる上底面６９を有している。端玉貯留皿１５は、前側の側面を除く部分が平面視矩形に形成されており、端玉貯留皿１５の前側の側面は、鉛直軸線を中心とする円筒面からなっている。端玉貯留皿１５を収容空間６４に収容した状態では、端玉貯留皿１５の左側面が受け皿１９の左端面と同一の平面上に位置する。端玉貯留皿１５の上端面が、受け皿１９の上面よりもやや下方に位置する。端玉貯留皿１５の上底面６９が略半球面からなるので、端玉貯留皿１５の収容空間６４への収容状態では、端玉貯留皿１５に払い出された端数の遊技玉をこの端玉貯留皿１５から容易に取り出すことができる。
【００４２】
端玉貯留皿１５の上面の後縁部７０は水平の板状に形成されており、この後縁部７０に上下方向に貫通する一または複数のねじ挿通孔７１が形成されている。また、端玉貯留皿１５の上面の後縁部７０において、端玉貯留皿１５の収容状態で玉排出口６８に対向する部分には、玉通過口７２が形成されている。玉通過口７２は、たとえば上端縁からの切欠きによって矩形状に形成されており、端玉貯留皿１５を収容空間６４に収容した状態において、受け皿１９の玉通過口７２と整合している。
【００４３】
各ねじ挿通孔７１は、取付部６７のねじ孔（図示しない）に対応付けて設けられている。一または複数のビス７３が、端玉貯留皿１５のねじ挿通孔７１を介してねじ孔にねじ締結されることにより、端玉貯留皿１５の受け皿１９に対する固定が達成されている。
なお、端玉貯留皿１５を収容空間６４に収容した状態では、端玉貯留皿１５の前側の側面が、前後方向に関して受け皿１９の前端面から前方にはみ出しているとともに、端玉貯留皿１５の下面が、受け皿１９の下面と同一の平面上に位置する。
【００４４】
通路ユニット１７Ｃは、計数・端玉払出ユニット１７Ａから前方に向けて延びた後、右方に向けて直角に屈曲する屈曲管状をなしている。通路ユニット１７Ｃは、端玉払出機構５１が払い出した遊技玉を端玉貯留皿１５に導くための払出通路（図示しない）と、受け皿１９によって受けられた遊技玉を計数部２０に導くための計数通路（図示しない）と、とを上下に並置した構成である。このように、払出通路と計数通路とを上下に並置したので、通路ユニット１７Ｃの省スペース化を図ることができる。
【００４５】
上方に位置する払出通路（図示しない）の内部空間は、計数・端玉払出ユニット１７Ａの玉出口（図示しない）と連通するとともに、受け皿１９の玉排出口６８（換言すると、玉通過口７２）と連通している。払出通路の底部は、受け皿１９（端玉貯留皿１５）に向かうに従って低くなる傾斜面を有している。下方に位置する計数通路（図示しない）の内部空間は、受け皿１９の玉送出口（図示しない）と連通するとともに、計数・端玉払出ユニット１７Ａの玉入口（図示しない）と連通している。計数通路の底部は、計数・端玉払出ユニット１７Ａに向かうに従って低くなる傾斜面を有している。図５に示すように、計数通路と払出通路とは、互いに同一屈曲形状を有しており、平面視で揃っている。
【００４６】
遊技機２の下皿１０（図２参照）から排出された遊技玉は、受け皿１９の玉受け部６０によって受けられた後、受け皿１９の玉送出口に向かって流れる。そして、玉送出口を通して計数通路に達した遊技玉は、計数通路を左方に向けて流れ、その後屈曲して後方に向けて流れ、玉入口（図示しない）を通して計数部２０内に導かれる。計数部２０の玉通路（図示しない）を通る遊技玉が、計数センサ（図示しない）によって検出され、これにより遊技玉が計数される。
【００４７】
また、端玉払出機構５１の駆動により払い出された遊技玉は、玉樋５２から玉出口（図示しない）を通して払出通路へと導かれる。そして、払出通路を前方に向けて流れ、その後屈曲して右方に向けて流れた後、屈曲状の排出通路（図示しない）により前方に向けて屈曲した後、受け皿１９の玉排出口６８から排出される。そして、この遊技玉は、端玉貯留皿１５の玉通過口７２を通して端玉貯留皿１５によって受けられる。
【００４８】
遊技媒体貸出機１が払出単位払出方式の払出処理を行う場合には、自ずと端玉払出方式を採用するようになり、端玉貯留皿１５に端数の遊技玉が払い出される。
その一方で、遊技媒体貸出機１が１玉単位払出方式の払出処理を行う場合には、全玉遊技機払出方式を採用することも可能である。この全玉遊技機払出方式を採用する場合、端玉貯留部１５が受け皿１９に装着されていると次に述べる問題を生じる。すなわち、遊技媒体貸出機１に端玉貯留皿１５があるのにも拘らず、この端玉貯留皿１５が使用されることはないので、遊技客が戸惑うおそれがある。また、前述のように端玉貯留皿１５があると、この端玉貯留皿１５が邪魔になって灰皿部９０に吸殻を投入し難くなっている。このとき、端玉貯留皿１５を使用しないにも拘らず、遊技客に使用しづらい状態での灰皿使用を強いるおそれがある。したがって、遊技媒体貸出機１が１玉単位払出方式の払出処理を行う場合には、端玉貯留部１５を受け皿１９から離脱させておくこともできる。
【００４９】
装着状態にある端玉貯留皿１５を、受け皿１９から取り外す（離脱させる）ためには、作業者は、まず、通路ユニット１７Ｃから皿ユニット１７Ｂごと取り外す。次いで、作業者は、皿ユニット１７Ｂをひっくり返し、端玉貯留皿１５および受け皿１９の裏面（下面）を上方に向けて配置する。そして、端玉貯留皿１５と受け皿１９とを結合していたビス７３を取り外し、その後、端玉貯留皿１５を受け皿１９から引き剥がす。これにより、端玉貯留皿１５が受け皿１９からの取外しが達成される。
【００５０】
なお、この端玉貯留部１５の離脱状態で、受け皿１９の収容空間６４に端玉貯留皿１５に代えてドリンクホルダが収容されるようになっていてもよい。このとき、端玉貯留皿１５に代えて、携帯電話機やスマートフォンを収容保持させるための携帯ホルダや、紙幣を保持させておくための紙幣ホルダを設ける構成であってもよい。また、端玉貯留皿１５に代えて、別の機能部材（ドリンクホルダ等）を設ける構成に限られず、機能性を有さず、端玉貯留皿１５の収容空間を埋めるための部材（目隠し部品）を設ける構成であってもよい。
【００５１】
また、端玉貯留皿１５を天地反転させた状態で、その端玉貯留皿１５が他の機能部材（灰皿やドリンクホルダ）としての機能を発揮する場合には、端玉貯留皿１５を天地反転させた状態で受け皿１９の取付部６７に取り付けることもできる。この場合、端玉貯留皿１５の取付部６７の取付けなのであるが、正規の状態における取付けではないので、次に述べるような出力される信号は、Ｈレベル（たとえば「−（マイナス）」）である。
【００５２】
受け皿１９の第１取付面６５または第２取付面６６（図４では第１取付面６５）には、端玉貯留皿１５が受け皿１９（取付部６７）に取り付けられているか（収容空間６４に収容されているか）否かを検出するための第１センサ（貯留部着脱検知手段）１０１が設けられている。この第１センサ１０１はたとえば着脱可能なタイプのセンサであり、たとえば機械式センサにより構成されている。
【００５３】
第１センサ１０１は、端玉貯留皿１５が取付部６７に取り付けられている状態と、端玉貯留皿１５が取付部６７に取り付けられていない状態とで異なる信号（たとえば取り付けられていない状態ではＨレベル（たとえば「−（マイナス）」）。たとえば取り付けられている状態ではＬレベル（たとえば「＋（プラス）」））を出力する。なお、第１センサ１０１は機械式センサではなく、フォトセンサであってもよいし、静電容量式の磁気センサであってもよい。また、第１センサ１０１を、第１または第２取付面６５，６６に取り付ける構成でなく、他の部分に配設するようにしてもよい。
【００５４】
また、第１センサ１０１が、端玉貯留皿１５の着脱の有無を検出するためのセンサでなく端玉貯留皿１５の使用可能かあるいは使用不可であるかを検出するものであってもよい。具体的には、端玉貯留皿１５に当該端玉貯留皿１５の上方を覆う蓋（図示しない）が設けられる場合には、その蓋が被せられている状態か否かが第１センサ１０１によって検出されるようになっていてもよい。
【００５５】
図６は、第２センサ１０２による検出を説明するための模式的な図である。
図５および図６に示すように、前述の通り、端玉払出機構５１は、玉樋５２と、スプロケット５５とを含む構成の払出機構である。端玉払出機構５１には、玉樋５２における玉送出部５３の上流側部分５２Ａに遊技玉があるか否か、すなわちスプロケット５５に供給される遊技玉が切れていないか否かを検出するための第２センサ１０２が設けられている。この遊技媒体貸出機１では、図５に示す玉検出センサ５４Ａが第２センサ１０２に相当する。
【００５６】
また、端玉払出機構５１の駆動により払い出された遊技玉は、玉樋５２から玉出口（図示しない）を通して払出通路へと導かれる。そして、払出通路を前方に向けて流れ、その後屈曲して右方に向けて流れた後、屈曲状の排出通路（図示しない）により前方に向けて屈曲した後、受け皿１９の玉排出口６８から排出される。そして、この遊技玉は、端玉貯留皿１５の玉通過口７２を通して端玉貯留皿１５によって受けられる。
【００５７】
遊技媒体貸出機１が払出単位払出方式の払出処理を行う場合には、自ずと端玉払出方式を採用するようになり、端玉払出機構５１から端数の遊技玉が払い出される。そのため、玉樋５２の上流側部分５２Ａに遊技玉が存在している必要がある。
その一方で、遊技媒体貸出機１が１玉単位払出方式の払出処理を行う場合には、全玉遊技機払出方式を採用することも可能である。この全玉遊技機払出方式を採用する場合には、端玉払出機構５１から端数の遊技玉が払い出されることがないので、スプロケット５５に供給される遊技玉が切れていても構わない。すなわち、玉樋５２に必ずしも遊技球が存在している必要がない。
【００５８】
第２センサ１０２は、遊技玉を未検出であるときは、Ｈレベルの信号（たとえば「−」を出力し、遊技玉を検出しているときは、Ｌレベルの信号（たとえば「＋」を出力する。なお、第２センサ１０２を静電容量式の磁気センサであるとして説明したが、第２センサ１０２は静電容量式の磁気センサではなく、機械式センサであってもよいし、フォトセンサであってもよい。
【００５９】
なお、第２センサ１０２として、玉樋５２における玉送出部５３の上流側部分５２Ａにある遊技玉の有無を検出するのでなく、玉樋５２における玉送出部５３の下流側部分５２Ｂにおける遊技玉の通過を検出するものであってもよい。
また、第２センサ１０２がマグネットセンサ等の重量センサにより構成され、遊技玉の重みによるトルクを検出するトルクセンサであってもよい。
【００６０】
また、第２センサ１０２が、遊技島内の玉循環機構（図示しない）からの島ジャバラ（図示しない）の下流端が玉樋５２に接続されているか否かを検出するためのセンサであってもよい。
図７は、遊技媒体貸出機１の電気的構成の要部を示すブロック図である。遊技媒体貸出機１には、マイクロコンピュータ等で構成された制御部３１が備えられている。
【００６１】
制御部３１には、状態表示ランプ１２、計数部２０、カードＲ／Ｗ２４、紙幣識別部３２、端玉払出機構５１、記憶部３５等のそれぞれが電気的に接続されている。記憶部３５には、当該遊技媒体貸出機１の運転条件等の必要な情報等が記憶されている。また、記憶部３５には、持玉払出モードが記憶されている。
紙幣識別部３２は、紙幣挿入部１３（図２参照）につながっている。紙幣挿入部１３に挿入された紙幣は、紙幣識別部３２に搬送される。そして、紙幣識別部３２は、紙幣挿入部１３に挿入された紙幣の種別およびその紙幣の真贋を識別する。
【００６２】
また、制御部３１には、第１センサ１０１、第２センサ１０２および第３センサ（状態検知手段）１０３（後述する）からの検出出力が入力されるようになっている。
また、制御部３１は、管理装置用通信Ｉ／Ｆ（インターフェイス）部３４を介して、島コントローラ４経由で管理装置５と通信することができるようになっている。さらに、制御部３１は、第１Ｉ／Ｆ（インターフェイス）部３６Ａを介して、遊技機２と通信することができるようになっており、また、制御部３１は、第２Ｉ／Ｆ（インターフェイス）部３６Ｂを介して、遊技機２と通信することができるようになっている。
【００６３】
遊技機２は、その台ごとにインターフェイスの種類が異なっている。具体的には、遊技機２には、第１通信Ｉ／Ｆ部３Ａを有する遊技機２と、第２通信Ｉ／Ｆ部３Ｂを有する遊技機２とがある。第１通信Ｉ／Ｆ部３Ａは、遊技媒体貸出機１からの払出要求信号に基づいて、遊技機２から所定数の払出単位で遊技玉を払い出す払出単位払出方式用のインターフェイスであり、第２通信Ｉ／Ｆ部３Ｂは、遊技媒体貸出機１からの払出要求信号に基づいて、遊技機２から遊技玉を１玉単位で払い出す１玉単位払出方式用のインターフェイスである。
【００６４】
遊技媒体貸出機１の第１Ｉ／Ｆ部３６Ａは、遊技機２の第１通信Ｉ／Ｆ部３Ａに対応付けられたインターフェイスである。第１Ｉ／Ｆ部３６Ａおよび遊技機２の第１通信Ｉ／Ｆ部３Ａは、それぞれ互いに通信可能な通信デバイスであり、第１Ｉ／Ｆ部３６Ａと第１通信Ｉ／Ｆ部３Ａとの間でデータの送受信を行うことができるようになっている。
また、遊技媒体貸出機１の第２Ｉ／Ｆ部３６Ｂは、遊技機２の第２通信Ｉ／Ｆ部３Ｂに対応付けられたインターフェイスである。第２Ｉ／Ｆ部３６Ｂおよび遊技機２の第２通信Ｉ／Ｆ部３Ｂは、それぞれ互いに通信可能な通信デバイスであり、第２Ｉ／Ｆ部３６Ｂと第２通信Ｉ／Ｆ部３Ｂとの間でデータの送受信を行うことができるようになっている。
【００６５】
一方で、第１Ｉ／Ｆ部３６Ａと遊技機２の第２通信Ｉ／Ｆ部３Ｂとの間は通信不能であり、また、第２Ｉ／Ｆ部３６Ｂと遊技機２の第１通信Ｉ／Ｆ部３Ａとの間は通信不能である。したがって、第１通信Ｉ／Ｆ部３Ａを有する遊技機２は、第１Ｉ／Ｆ部３６Ａを介してでしか遊技媒体貸出機と通信可能に接続することができず、また、第２通信Ｉ／Ｆ部３Ｂを有する遊技機２は、第２Ｉ／Ｆ部３６Ｂを介してでしか遊技媒体貸出機１と通信可能に接続することができない。
【００６６】
次に、第１Ｉ／Ｆ部３６Ａおよび第１通信Ｉ／Ｆ部３Ａを用いた、遊技媒体貸出機１と遊技機２との通信について説明する。第１Ｉ／Ｆ部３６Ａから遊技機２の第１通信Ｉ／Ｆ部３Ａに対して、貸玉払出しや持玉払出しのための払出要求信号（度数払出指示信号。たとえば１パルス）が与えられる。また、遊技機２の第１通信Ｉ／Ｆ部３Ａから第１Ｉ／Ｆ部３６Ａに対して、払出完了信号（たとえば１パルス）が与えられる。この遊技機２では、１つの払出単位としてたとえば２５玉（玉貸し１度数に相当する遊技玉数）等の所定玉数が設定されている。つまり、遊技媒体貸出機１から遊技機２に向けて払出要求信号が１回送出される毎に、遊技機２の投出装置４６から２５玉払い出されるようになる。
【００６７】
次に、第２Ｉ／Ｆ部３６Ｂおよび第２通信Ｉ／Ｆ部３Ｂを用いた、遊技媒体貸出機１と遊技機２との通信について説明する。第２遊技機用通信Ｉ／Ｆ部３６Ｂから遊技機２の第２通信Ｉ／Ｆ部３Ｂに対して、貸玉払出しや持玉払出しのための払出要求信号（たとえば個数データ信号）が与えられる。一方、遊技機２の第２通信Ｉ／Ｆ部３Ｂから第２遊技機用通信Ｉ／Ｆ部３６Ｂに対して、払出完了信号（たとえば１パルスが与えられる。
【００６８】
このとき、遊技媒体貸出機１から遊技機２に向けて送出される払出要求信号は、遊技玉数を指定する個数データ信号（遊技媒体の数量を示す信号）である。つまり、遊技媒体貸出機１から遊技機２に向けて払出要求信号が送出されると、その個数データ信号に含まれる遊技玉数に応じた遊技玉が遊技機２の投出装置４６から払い出されるようになる。なお、この個数データ信号からなる払出要求信号は暗号化処理が施された状態で送受信されることが望ましい。
【００６９】
図８は、１玉単位払出方式の払出処理を実行する場合における遊技媒体貸出機１と遊技機２との電気的接続を示す図である。１玉単位払出方式の払出処理を実行するための遊技機２は、第２Ｉ／Ｆ部３６Ｂを有している。第２Ｉ／Ｆ部３６Ｂと、遊技媒体貸出機１の第２通信Ｉ／Ｆ部３Ｂとは、たとえばフレキシブルフラットケーブルからなる接続ケーブル１１０を介して接続されており、第２Ｉ／Ｆ部３６Ｂと第２通信Ｉ／Ｆ部３Ｂとの前記の信号授受は、接続ケーブル１１０を介して行われる。接続ケーブル１１０の接続コネクタ１１２は遊技機２に結合されており、また、接続ケーブル１１０の接続コネクタ１１３は遊技媒体貸出機１に結合されている。
【００７０】
図９は、払出単位払出方式の払出処理を実行する場合における遊技媒体貸出機１と遊技機２との電気的接続を示す図である。払出単位払出方式の払出処理を実行するための遊技機２は、第１Ｉ／Ｆ部３６Ａを有している。第１Ｉ／Ｆ部３６Ａと、遊技媒体貸出機１の第１通信Ｉ／Ｆ部３Ａとは、接続ケーブル１１０および変換アダプタ１１１を介して接続されている。具体的には、変換アダプタ１１１は遊技機２に直接結合されており、この変換アダプタ１１１に接続ケーブル１１０の接続コネクタ１１２が結合されている。また、接続ケーブル１１０の接続コネクタ１１３は遊技媒体貸出機１に結合されている。変換アダプタ１１１は、前述の個数データ信号からなる払出要求信号を、パルスからなる払出要求信号に変換するものである。
【００７１】
図８および図９に示すように、遊技媒体貸出機１が払出単位払出方式の払出処理を行う場合には、第１Ｉ／Ｆ部３６Ａと遊技媒体貸出機１の第１通信Ｉ／Ｆ部３Ａとの間に変換アダプタ１１１が介装している。その一方で、遊技媒体貸出機１が１玉単位払出方式の払出処理を行う場合には、第１Ｉ／Ｆ部３６Ａと遊技媒体貸出機１の第１通信Ｉ／Ｆ部３Ａとの間に変換アダプタ１１１は介装していない。遊技媒体貸出機１には、導通センサからなる第３センサ１０３が設けられている。
【００７２】
第３センサ１０３は、遊技機２から遊技媒体貸出機１に送出される信号の種類や内容に基づいて、接続ケーブル１１０と遊技機２との間に変換アダプタ１１１が介装されているか否かを検出する。第３センサ１０３は変換アダプタ１１１の介装を未検出であるときは、Ｈレベルの信号（たとえば「−」）を出力し、また、変換アダプタ１１１の介装を検出しているときは、Ｌレベルの信号（たとえば「＋」）を出力する。
【００７３】
次に、この遊技媒体貸出機１における持玉払出モードについて説明する。この遊技媒体貸出機１では、持玉払出モードとして、モード１、モード２およびモード３の３つのモードが用意されている。
図１０はモード１を説明するための図である。また、図１１は、モード２を説明するための図であり、図１２はモード３を説明するための図である。図２、図６、図７および図１０〜図１２を参照して以下説明する。
【００７４】
モード１は、払い出すべき持玉のうち払出単位（たとえば２５玉）の倍数（Ｎ倍）に相当する持玉（遊技玉）を遊技機２から払い出し、残りの、払出単位に満たない端数の持玉（遊技玉。つまり端玉）を、端玉貯留皿１５に払い出すモードである。したがって、モード１では、端玉払出方式の払出処理が実行される。
具体的には、図１０に示すように、持玉を払い出す際には、制御部３１は、遊技機２に払出単位（２５玉）で払出要求信号（パルス。オンオフ信号）を送信する。これにより、遊技機２の制御部（図示しない）は投出装置４６を駆動し、１回の払出単位の遊技玉（この場合１度数に相当する遊技玉）が、持玉として遊技機２の上皿９に払い出される。払出要求信号が繰り返し送信されることにより、遊技機２から持玉が繰り返し払い出される。そして、払い出すべき持玉数が払出単位未満になった場合、その持玉数に相当する玉数の遊技玉が、端数の遊技玉として端玉払出機構５１の駆動により端玉貯留皿１５に払い出される。すなわち、モード１では、払出単位払出方式の払出処理が実行される。このモード１では、少量の端数の遊技玉が端数払出皿１５に払い出されるので、菓子等の小景品交換用の遊技玉を、遊技機２の上皿９の玉と混じらずに取り出すことができる。
【００７５】
モード２は、払い出すべき持玉を全て遊技機２から払い出すモードであり、したがって、モード２では、全数遊技機払出方式の払出処理が実行される。
具体的には、図１１に示すように、持玉を払い出す際には、制御部３１は、払い出すべき遊技玉数を指定する個数データ信号からなる払出要求信号を遊技機２に送信する。これにより、遊技機２の制御部（図示しない）は投出装置４６を駆動し、この個数データ信号に含まれる玉数の遊技玉が、持玉として遊技機２の上皿９に払い出される。これにより、持玉の全てが遊技機２から払い出される。すなわち、モード２は、１玉単位払出方式の払出処理の一態様である。
【００７６】
モード３は、払い出すべき持玉の数が予め定める数（所定数）以上であるときは、遊技機２から持玉を払い出し、払い出すべき持玉の数が所定数未満であるときは、端玉貯留皿１５への遊技玉の払出し（遊技媒体貸出機１からの直接的な遊技玉の払出し）を可能とするモードである。すなわち、モード３は、１玉単位払出方式の払出処理の他の態様である。
【００７７】
具体的には、図１２に示すように、所定数以上の持玉を払い出す際には、制御部３１は、払い出すべき遊技玉数を指定する個数データ信号からなる払出要求信号を遊技機２に送信する。
一方、払い出すべき持玉が所定玉数未満である場合には、遊技客は、操作表示部１４の操作により、遊技機２からの遊技玉の払出しであるか、あるいは端玉貯留皿１５への遊技玉の払出しであるかを選択することができるようになっている。遊技媒体貸出機１の制御部３１は、遊技機２からの遊技玉の払出しを選択する旨が操作表示部１４に入力されたときは、その持玉数を指定した個数データ信号からなる払出要求信号を遊技機２に送信する。また、遊技媒体貸出機１の制御部３１は、遊技媒体貸出機１からの遊技玉の払出しを選択する旨が操作表示部１４に入力されたときは、その持玉数に相当する玉数の遊技玉が端玉払出機構５１の駆動により端玉貯留皿１５に払い出される。
【００７８】
前記の予め定める数（所定数）は、たとえば端玉貯留皿１５に貯留可能な遊技玉の量に応じて決定される。少量である端数の遊技玉が端数払出皿１５に払い出されるので、遊技機の上皿の玉と混じらずに菓子等の小景品交換用の遊技玉を取り出すことができる。
なお、予め定める時間内に操作表示部１４に入力されない場合には、持玉数に相当する玉数の遊技玉が端玉払出機構５１の駆動により端玉貯留皿１５に払い出されるようになっている。
【００７９】
図１３は、遊技媒体貸出機１における持玉払出モードの選択設定動作を示すフローチャートである。この選択設定動作は、遊技媒体貸出機１に対する電源オンに伴い実行される。
電源がオンされると、制御部３１は第３センサ１０３の検出出力を参照し、変換アダプタ１１１の装脱状態（介装されているか否か）を調べる（ステップＳ１）。また、制御部３１は第１センサ１０１の検出出力を参照し、端玉貯留皿１５の受け皿１９に対する着脱状態（装着されているか否か）を調べる（ステップＳ２，Ｓ６）。第３センサ１０３の検出出力が「＋」であるときは、変換アダプタ１１１の介装状態とされ、第３センサ１０３の検出出力が「−」であるときは、変換アダプタ１１１の非介装状態とされる。また、第１センサ１０１の検出出力が「＋」であるときは端玉貯留皿１５の装着状態とされ、第１センサ１０１の検出出力が「−」であるときは端玉貯留皿１５の離脱状態とされる。
【００８０】
第３センサ１０３の検出出力が「＋」でありかつ第１センサ１０１の検出出力が「＋」であるとき、すなわち、変換アダプタ１１１が介装されておりかつ端玉貯留皿１５が装着されているとき（ステップＳ１でＹＥＳおよびステップＳ２でＹＥＳ）は、次いで、制御部３１は第２センサ１０２の検出出力を参照し、端玉払出機構５１に払い出すべき遊技玉があるか（玉樋５２における玉送出部５３の上流側部分５２Ａに遊技玉があるか）否かを調べる（ステップＳ３）。第２センサ１０２の検出出力が「＋」であるときは玉樋５２の上流側部分５２Ａに遊技玉があるとされ、第２センサ１０２の検出出力が「−」であるときは玉樋５２の上流側部分５２Ａに遊技玉がないとされる。
【００８１】
このとき、第２センサ１０２の検出出力が「＋」であるとき、すなわち、玉樋５２の上流側部分５２Ａに遊技玉があるとき（ステップＳ３でＹＥＳ）は、制御部３１は、持玉払出モードとしてモード１を設定し（ステップＳ４）、その持玉払出モードを記憶部３５に記憶させる。一方、第２センサ１０２の検出出力が「−」であるとき、すなわち、玉樋５２の上流側部分５２Ａに遊技玉がないとき（ステップＳ３でＮＯ）は、制御部３１は、持玉払出モードとしてエラーモードを設定し（ステップＳ５）、そのエラーモードを記憶部３５に記憶させる。その後、制御部３１はエラー報知等のエラー処理を実行する。
【００８２】
また、第３センサ１０３の検出出力が「＋」でありかつ第１センサ１０１の検出出力が「−」であるとき、すなわち、変換アダプタ１１１が介装されており、かつ端玉貯留皿１５が離脱されているとき（ステップＳ１でＹＥＳおよびステップＳ２でＮＯ）は、制御部３１は、持玉払出モードとしてエラーモードを設定し（ステップＳ５）、そのエラーモードを記憶部３５に記憶させる。その後、制御部３１はエラー報知等のエラー処理を実行する。
【００８３】
また、第３センサ１０３の検出出力が「−」でありかつ第１センサ１０１の検出出力が「＋」であるとき、すなわち、変換アダプタ１１１が非介装でありかつ端玉貯留皿１５が装着されているとき（ステップＳ１でＮＯおよびステップＳ６でＹＥＳ）は、制御部３１は、持玉払出モードとしてモード３を設定する（ステップＳ８）。
また、第３センサ１０３の検出出力が「−」でありかつ第１センサ１０１の検出出力が「−」であるとき、すなわち、変換アダプタ１１１が未介装でありかつ端玉貯留皿１５が離脱されているとき（ステップＳ１でＮＯおよびステップＳ６でＮＯ）は、制御部３１は、持玉払出モードとしてモード２を設定し（ステップＳ７）、その持玉払出モードを記憶部３５に記憶させる。
【００８４】
次に、図１〜図１３を参照して、遊技媒体貸出機１および遊技機２を用いた遊技に関する主な流れをおおまかに説明する。まず、遊技媒体貸出機１からの払出要求信号に基づいて、遊技機２から所定数の払出単位で遊技玉を払い出す払出単位払出方式が採用される場合を例に挙げて説明する。この場合、遊技媒体貸出機１における遊技機２通信用のインターフェイスとして第１Ｉ／Ｆ部３６Ａが用いられるとともに、遊技機２における遊技媒体貸出機１通信用のインターフェイスとして第１通信Ｉ／Ｆ部３Ａが用いられる。この明細書では、遊技媒体貸出機１から貸し出される遊技玉を貸玉といい、遊技機２から払い出された遊技玉を出玉という。また、遊技媒体貸出機１によって計数された遊技玉を持玉というが、持玉とは、厳密に言えば、遊技客が遊技によってその当日に獲得した遊技玉数のうちの一部または全部を、数値データ（持玉データ）の形で当該遊技客が所有するものである。
【００８５】
遊技客が、この遊技機２に対応する遊技媒体貸出機１に紙幣やカードを挿入すると、この遊技媒体貸出機１に対応する遊技機２において、遊技客に対して所定数の遊技玉が貸し出される。
まず、紙幣に基づいて玉貸しが行なわれる場合における遊技媒体貸出機１の動作について説明する。紙幣で遊技玉を借りる場合、紙幣挿入部１３に紙幣が挿入されると、挿入された紙幣の額に相当する度数が度数表示器４４に表示される。また、紙幣収納部（図示しない）にストックされている一般カードのうち最も排出側の１枚の一般カードが選ばれ、その一般カードのカードＩＤに対応付けて、プリペイド残高（この場合は挿入された紙幣の額に相当する値）および持玉データ（この場合は「０」）が、遊技媒体貸出機１の記憶部３５に一時的に記憶される。
【００８６】
そして、遊技機２における貸出ボタン４５が押されると、遊技媒体貸出機１から遊技機２に向けてパルスの払出要求信号が送出される。遊技機２が払出要求信号を受けると、遊技機２の制御部３１は投出装置４６を駆動し、１回の払出単位の遊技玉（たとえば２５玉。この場合１度数に相当する遊技玉）が、貸玉として遊技機２の上皿９に払い出される。具体的には、１回の貸出ボタン４５の押操作で、５回の払出単位の払出しが実行される。また、払出動作の完了後は、遊技機２から遊技媒体貸出機１に向けて払出完了信号が送出される。払出完了信号の受信に伴い、カードＩＤに関連付けられているプリペイド残高（記憶部３５および管理装置記憶部８に記憶されているプリペイド残高）が更新される。そして、この貸玉を用いて、遊技機２で遊技客による遊技が行われる。
【００８７】
遊技機２の入賞口（図示しない）に入玉があると、遊技機２の投出装置４６から、遊技玉が遊技機２の上皿９に払い出される。上皿９に貯留される遊技玉が多量になると、上皿９に貯留された遊技玉は、遊技客の操作によりまたはオーバーフロー路（図示しない）を通って下皿１０へと移され、下皿１０に貯留される。
そして、遊技客が遊技機２の下皿１０の底面排出口に設けられたシャッタ（図示しない）を開放すると、下皿１０に貯留されている遊技玉が下方に向けて排出される。
【００８８】
遊技機２から排出された遊技玉は、遊技媒体貸出機１の受け皿１９によって受け止められた後、計数部２０に送られる。そして、計数部２０によって遊技玉が計数される。計数終了後、カードに関連付けられている持玉データが更新される。この実施形態では、遊技媒体貸出機１は、記憶部３５に（一時的に）記憶されている持玉データに今回の計数値を加算することにより、その記憶部３５に記憶されている持玉データを更新する。
【００８９】
遊技媒体貸出機１における計数では、その時点での計数値が、遊技媒体貸出機１の表示部（図示しない）に表示される。遊技媒体貸出機１（計数部２０）による計数後、遊技玉は遊技媒体貸出機１から機外に排出される。また、遊技媒体貸出機１によって計数された遊技玉、すなわち持玉を用いて遊技をすることができる。
１回の払出単位（たとえば２５玉）以上の持玉データがカードに関連付けられている場合に、受け皿１９の前面に配設された持玉払出ボタン４８あるいは操作表示部１４の再貸出ボタン２７（複数の操作キー２７のうちの１つのキー）が操作されると（所定の払出指示操作があると）、遊技媒体貸出機１から遊技機２に向けて払出要求信号（パルス）が送出される。遊技機２が払出要求信号を受けると、遊技機２の制御部３１は投出装置４６を駆動し、１回の払出単位の遊技玉（この場合１度数に相当する遊技玉）が、持玉として遊技機２の上皿９に払い出される。これに伴い、カードＩＤに関連付けられている持玉データ（遊技媒体貸出機１の記憶部３５および管理装置５の管理装置記憶部８で管理されている持玉データ）が更新される。そして、この持玉を用いて、遊技機２で遊技が行われる。
【００９０】
一方、１回の払出単位未満の持玉データしかカードに関連付けられていない場合には、受け皿１９の前面に配設された持玉払出ボタン４８あるいは操作表示部１４の再貸出ボタン２７（複数の操作キー２７のうちの１つのキー）が操作されると（所定の払出指示操作があると）、制御部３１は、端玉払出機構（第１払出ユニット）５１を制御して、その持玉データに対応する数の遊技玉を端数の持玉（端玉）として、端玉貯留皿１５に払い出す。
【００９１】
次に、カードに関連付けられているプリペイド残高に基づいて玉貸が行なわれる場合における遊技媒体貸出機１の動作について説明する。遊技媒体貸出機１のカード挿入／排出口１６にカードが挿入されると、カードＲ／Ｗ２４によってカードＩＤおよびプリペイド残高が読み出される。遊技媒体貸出機１の制御部３１は、カードから読み出されたカードＩＤを管理装置５に送信する。遊技媒体貸出機１からカードＩＤを受信した管理装置制御部６は、そのカードＩＤに対応するプリペイド残高および持玉データを、遊技媒体貸出機１に返送する。制御部３１は、管理装置５から受信したプリペイド残高および持玉データをそのカードＩＤに対応付けた形で、遊技媒体貸出機１の記憶部３５に一時的に記憶する。このとき、遊技媒体貸出機１における持玉データの管理と引換えに、管理装置５に管理されている持玉データは一旦零になる。これに対し、管理装置５に管理されているプリペイド残高は、遊技媒体貸出機１におけるプリペイド残高の記憶に拘らず、元の値のままである。
【００９２】
また、プリペイド残高が遊技機２に設けられた度数表示器４４に表示される。そして、遊技媒体貸出機１から遊技機２に向けてパルスの払出要求信号が送出される。遊技機２が払出要求信号を受けると、遊技機２の制御部３１は投出装置４６を駆動し、１回の払出単位の遊技玉（たとえば２５玉。この場合１度数に相当する遊技玉）が、貸玉として遊技機２の上皿９に払い出される。具体的には、１回の貸出ボタン４５の押操作で、５回の払出単位の払出しが実行される。また、払出動作の完了後は、遊技機２から遊技媒体貸出機１に向けて払出完了信号が送出される。払出完了信号の受信に伴い、カードＩＤに関連付けられているプリペイド残高（遊技媒体貸出機１の記憶部３５および管理装置５の管理装置記憶部８で管理されているプリペイド残高）が更新される。そして、この貸玉を用いて、遊技機２で遊技が行われる。
【００９３】
この遊技機２における遊技を終了する場合、遊技客は、遊技機２に設けられた返却ボタン２１を押す。この返却ボタン２１の押操作に伴い、カードにプリペイド残高が記録される。このとき、紙幣の挿入に基づいて玉貸が行なわれていた場合には、収納部（図示しない）にストックされたカードのうち選ばれた１枚の一般カードにプリペイド残高が記録される。また、当該カードのカードＩＤ、プリペイド残高および持玉データが、管理装置５に送信される。管理装置５は、受信したカードＩＤに対応付けて、管理装置記憶部８に記憶されているプリペイド残高を、使用したプリペイド価値に相当する分だけ減算することで、当該カードＩＤに対応するプリペイド残高を更新する。また、管理装置５は、受信した持玉データを持玉データのカードＩＤに対応付けて管理装置記憶部８に記憶する。これにより、当該カードに関連付けられている持玉データを更新する。カードへのプリペイド残高の記録後、カードがカード挿入／排出口１６から排出（返却）される。ただし、遊技媒体貸出機１に受け付けられたカードに記憶されたプリペイド残高および持玉データとも零である場合には、当該カードは排出されずに、遊技媒体貸出機１の収納部（図示しない）に収納され、再利用される。
【００９４】
カード挿入／排出口１６から排出されたカードは、遊技客によって引き抜かれる。そして、遊技客は、他の遊技機２に移動して、このカードを別のその遊技機２に対応する遊技媒体貸出機１のカード挿入／排出口１６に挿入することが可能である。このカードの挿入により、プリペイド残高に基づく貸玉の払出しや持玉データに基づく遊技玉の払出しを受けることができる。また、遊技客が退店する場合は、精算機（図示しない）において、カードに関連付けられているプリペイド残高を精算することができる。
【００９５】
また、遊技客は、景品管理機（図示しない）を利用することにより、カードに関連付けられている持玉データの一部または全部を、景品に交換することができる。持玉データの一部または全部を、景品に交換した場合には、当該カードに関連付けられている持玉データ（管理装置５側に記憶されている持玉データおよびカードに記録されている持玉データ）が更新される。つまり、持玉データは、景品交換に使用された分だけ減少する。ここで、カードに関連付けられている持玉データは、当日のみ有効であり、その日の営業が終了した時点で効力を失う。但し、カードが会員カードである場合には、持玉データは、その日の営業が終了した時点で貯玉データとして管理される。
【００９６】
次に、遊技媒体貸出機１からの払出要求信号に基づいて、遊技機２から遊技玉を１玉単位で払い出す１玉単位払出方式が採用される場合を例に挙げて説明する。この場合、遊技媒体貸出機１における遊技機２通信用のインターフェイスとして第２Ｉ／Ｆ部３６Ｂが用いられるとともに、遊技機２における遊技媒体貸出機１通信用のインターフェイスとして第２通信Ｉ／Ｆ部３Ｂが用いられる。
【００９７】
遊技機２における貸出ボタン４５が押されたときは、遊技媒体貸出機１から遊技機２に向けて個数データ信号からなる払出要求信号が送出される。遊技機２が払出要求信号を受けると、遊技機２の制御部３１は投出装置４６を駆動し、個数データ信号に含まれる遊技玉数に応じた遊技玉が、貸玉として遊技機２の上皿９に払い出される。また、その遊技玉数の払出動作が完了すると、遊技機２から遊技媒体貸出機１に向けて払出完了信号が送出される。払出完了信号を受信したことに伴い、カードＩＤに関連付けられているプリペイド残高（記憶部３５および管理装置記憶部８に記憶されているプリペイド残高）が更新される。そして、この貸玉を用いて、遊技機２で遊技客による遊技が行われる。
【００９８】
一方、１玉単位払出方式の払出処理で持玉を払い出す場合には、モード２である場合とモード３である場合とでその態様が異なっている。持玉払出モードがモード２である場合について説明する。
この場合、持玉払出ボタン４８が操作されたときは、遊技媒体貸出機１から遊技機２に向けて個数データ信号からなる払出要求信号が送出される。遊技機２が払出要求信号を受けると、遊技機２の制御部３１は投出装置４６を駆動し、個数データ信号に含まれる遊技玉数に応じた遊技玉が、持玉として遊技機２の上皿９に払い出される。また、その遊技玉数の払出動作が完了すると、遊技機２から遊技媒体貸出機１に向けて払出完了信号が送出される。払出完了信号を受信したことに伴い、カードＩＤに関連付けられている持玉データ（遊技媒体貸出機１の記憶部３５および管理装置５の管理装置記憶部８で管理されている持玉データ）が更新される。そして、この持玉を用いて、遊技機２で遊技が行われる。次に、持玉払出モードがモード３である場合について説明する。
【００９９】
この場合、前記の予め定める数以上の持玉データがカードに関連付けられている場合には、モード２の場合と同様、持玉払出ボタン４８の操作に応じて、遊技媒体貸出機１から遊技機２に向けて個数データ信号からなる払出要求信号が送出される。遊技機２が払出要求信号を受けると、遊技機２の制御部３１は投出装置４６を駆動し、個数データ信号に含まれる遊技玉数に応じた遊技玉が、持玉として遊技機２の上皿９に払い出される。また、その遊技玉数の払出動作が完了すると、遊技機２から遊技媒体貸出機１に向けて払出完了信号が送出される。払出完了信号を受信したことに伴い、カードＩＤに関連付けられている持玉データ（遊技媒体貸出機１の記憶部３５および管理装置５の管理装置記憶部８で管理されている持玉データ）が更新される。
【０１００】
一方、前記の予め定める数の持玉データしかカードに関連付けられていない場合には、受け皿１９の前面に配設された持玉払出ボタン４８が操作されると（所定の払出指示操作があると）、制御部３１は、端玉払出機構（第１払出ユニット）５１を制御して、その持玉データに対応する数の遊技玉を端数の持玉（端玉）として、端玉貯留皿１５に払い出す。
【０１０１】
以上によりこの実施形態によれば、遊技媒体貸出機１における遊技機２とのインターフェイスとして、遊技玉を所定数の払出単位で遊技機２から払い出す払出単位払出方式用のインターフェイス（第１通信Ｉ／Ｆ部３６Ａ）と、遊技玉を１玉単位で遊技機２から払い出す１玉単位払出方式用のインターフェイス（第２通信Ｉ／Ｆ部３６Ｂ）とを備えている。したがって、遊技媒体貸出機１による持玉の払出処理として、遊技媒体貸出機１が端数の遊技玉（少なくとも一部の遊技玉）を払い出す端玉払出方式の払出処理（第１払出処理）と、全ての玉数の持玉を遊技機２から払い出す全玉遊技機払出方式の払出処理（第２払出処理）との双方を実行可能である。また、これらの払出処理に関連する所定の部位の状態、すなわち、端玉貯留皿１５が受け皿１９に取り付けられているか否か、接続ケーブル１１０と遊技機２との間に変換アダプタ１１１が介装されているか否か、および端玉払出機構５１のスプロケット５５に供給される遊技玉が切れていないか否かが調べられ、これにより、遊技媒体貸出機１が端玉払出方式の払出処理および全玉遊技機払出方式の払出処理のいずれに適した状態であるかが制御部３１によって判断される。より具体的には、その持玉払出モードとして、モード１、モード２およびモード３から最適のモードが選択されて実行される。これらにより、遊技機２が、端玉払出方式の払出処理に適した規格態様（すなわち払出単位払出方式用のインターフェイス（第１通信Ｉ／Ｆ部３Ａ）を有する態様）であるか、あるいは全玉遊技機払出方式の払出処理に適した規格態様（すなわち１玉単位払出方式用のインターフェイス（第２通信Ｉ／Ｆ部３Ｂ）を有する態様）であるかに拘らず、持玉としての遊技玉を良好に払い出すことができる。
【０１０２】
図１４は、この発明の他の実施形態に係る遊技媒体貸出機２０１の構成を説明するための模式的な正面図である。
図１４に示す遊技媒体貸出機２０１が、図１〜図１３の実施形態に係る遊技媒体貸出機１と共通する構成には同一の符号を付し、説明を省略する。
図１４に示す遊技媒体貸出機２０１が遊技媒体貸出機１と相違する点は、遊技媒体貸出機２０１の本体部１１の前面にノズル２０２が配設されている点である。遊技媒体貸出機２０１では、受け皿１９に端数貯留皿１５は設けられておらず、持玉（端数の持玉）はノズル２０２を介して遊技機２の上皿９に払い出されるようになっている。
【０１０３】
ノズル２０２は水平方向に回動可能に設けられ、その先端部が上皿９の真上位置まで達する。本体部１１内には、ノズル２０２に対して遊技玉を供給するための玉払出部（図示しない。端玉払出機構（図５参照）５１と同等の構成）が配設されている。すなわち、玉払出部は、玉樋５２（図５参照）と、スプロケット５５（図５参照）とを含む構成の払出機構である。そして、玉樋５２における玉送出部５３の上流側部分５２Ａには、遊技玉があるか否か、すなわちスプロケット５５に供給される遊技玉が切れていないか否かを検出するための第２センサ１０２が設けられている。玉払出部の駆動により払い出された遊技玉はノズル２０２内に供給されるようになっており、これにより、玉払出部の駆動によってノズル２０２の先端部から下方（上皿９）に向けて遊技玉が払い出される。
【０１０４】
ノズル２０２は、遊技媒体貸出機２０１の本体部１１の前面に着脱可能に設けられている。たとえば本体部１１の前面には、当該前面のノズル取付け位置にノズル２０２が取り付けられているか否かを検出するための第４センサ（供給樋着脱検知手段）１０４が設けられている。この第４センサ１０４はたとえば機械式センサにより構成されており、ノズル２０２が前記ノズル取付け位置に取り付けられている状態と、ノズル２０２が本体部１１の前面に取り付けられていない状態とで異なる信号（たとえば取り付けられていない状態ではＨレベル。たとえば取り付けられている状態ではＬレベル。）を出力する。なお、第４センサ１０４は機械式センサではなく、フォトセンサであってもよいし、静電容量式の磁気センサであってもよい。また、第４センサ１０４を、本体部１１の前面に取り付ける構成でなく、他の部分に配設するようにしてもよい。
【０１０５】
図１５は、遊技媒体貸出機２０１における持玉払出モードの選択設定動作を示すフローチャートである。この選択設定動作は、遊技媒体貸出機２０１に対する電源オンに伴い実行される。
電源がオンされると、制御部３１は第３センサ１０３の検出出力を参照し、変換アダプタ１１１の装脱状態（介装されているか否か）を調べる（ステップＳ１１）。また、制御部３１は第４センサ１０４の検出出力を参照し、ノズル２０２の本体部１１前面に対する着脱状態を（装着されているか否か）を調べる（ステップＳ１２，Ｓ１６）。第４センサ１０４の検出出力が「＋」であるときは、ノズル２０２の装着状態とされ、第４センサ１０４の検出出力が「−」であるときは、ノズル２０２の離脱状態とされる。
【０１０６】
第３センサ１０３の検出出力が「＋」であり、かつ第４センサ１０４の検出出力が「＋」であるとき、すなわち、変換アダプタ１１１が介装されておりかつノズル２０２が装着されているとき（ステップＳ１１でＹＥＳおよびステップＳ１２でＹＥＳ）は、次いで、制御部３１は第２センサ１０２の検出出力を参照し、玉払出部（図示しない。端玉払出機構（図５参照）５１と同等の構成）に払い出すべき遊技玉があるか（玉樋５２の上流側部分５２Ａに遊技玉があるか）否かを調べる（ステップＳ１３）。
【０１０７】
このとき、第２センサ１０２の検出出力が「＋」であるとき、すなわち、玉樋５２の上流側部分５２Ａに遊技玉があるとき（ステップＳ１３でＹＥＳ）は、制御部３１は、持玉払出モードとしてモード１を設定し（ステップＳ１４）、その持玉払出モードを記憶部３５に記憶させる。一方、第２センサ１０２の検出出力が「−」であるとき、すなわち、玉樋５２の上流側部分５２Ａに遊技玉がないとき（ステップＳ１３でＮＯ）は、制御部３１は、持玉払出モードとしてエラーモードを設定し（ステップＳ１５）、そのエラーモードを記憶部３５に記憶させる。その後、制御部３１はエラー報知等のエラー処理を実行する。
【０１０８】
また、第３センサ１０３の検出出力が「＋」でありかつ第４センサ１０４の検出出力が「−」であるとき、すなわち、変換アダプタ１１１が介装されておりかつノズル２０２が離脱されているとき（ステップＳ１１でＹＥＳおよびステップＳ１２でＮＯ）は、制御部３１は、持玉払出モードとしてエラーモードを設定し（ステップＳ１５）、そのエラーモードを記憶部３５に記憶させる。その後、制御部３１はエラー報知等のエラー処理を実行する。
【０１０９】
また、第３センサ１０３の検出出力が「−」でありかつ第４センサ１０４の検出出力が「＋」であるとき、すなわち、変換アダプタ１１１が未介装であり、かつノズル２０２が装着されているとき（ステップＳ１１でＮＯおよびステップＳ１６でＹＥＳ）は、制御部３１は、持玉払出モードとしてエラーモードを設定し（ステップＳ１９）、そのエラーモードを記憶部３５に記憶させる。その後、制御部３１はエラー報知等のエラー処理を実行する。
【０１１０】
また、第３センサ１０３の検出出力が「−」であり、かつ第４センサ１０４の検出出力が「−」であるとき、すなわち、変換アダプタ１１１が未装着であり、かつノズル２０２が未装着であるとき（ステップＳ１１でＮＯおよびステップＳ１６でＮＯ）は、次いで、制御部３１は第２センサ１０２の検出出力を参照し、玉払出部に払い出すべき遊技玉があるか（玉樋５２の上流側部分５２Ａに遊技玉があるか）否かを調べる（ステップＳ１７）。
【０１１１】
このとき、第２センサ１０２の検出出力が「＋」であるとき、すなわち、玉樋５２の上流側部分５２Ａに遊技玉があるとき（ステップＳ１７でＹＥＳ）は、制御部３１は、持玉払出モードとしてモード２を設定する（ステップＳ１８）。一方、第２センサ１０２の検出出力が「−」であるとき、すなわち、玉樋５２の上流側部分５２Ａに遊技玉がないとき（ステップＳ１７でＮＯ）は、制御部３１は、持玉払出モードとしてエラーモードを設定し（ステップＳ１９）、そのエラーモードを記憶部３５に記憶させる。その後、制御部３１はエラー報知等のエラー処理を実行する。
【０１１２】
以上、この発明の２つの実施形態について説明したが、本発明は他の形態で実施することもできる。
たとえば前述の各実施形態において、持玉払出モードは、遊技媒体貸出機１，２０１の自己判断により選択されるものでなく、制御部３１に含まれる制御基板や遊技媒体貸出機１の背面等に設けられるディップスイッチの操作により選択されるものであってもよい。
【０１１３】
また、１玉単位払出方式の払出処理の場合には、インターフェイス間（第２Ｉ／Ｆ部３６Ｂと第２通信Ｉ／Ｆ部３Ｂとの間）で個数データ信号が送信されるとして説明したが、払出単位を示す信号（パルス信号）と、個数データ信号との双方が送信されるようにしてもよい。
また、端玉貯留皿１５と受け皿１９との固定を、ねじ止め構造を用いず、爪係合により達成させてもよい。たとえば、樹脂材料からなる爪部を端玉貯留皿１５および受け皿１９の一方に形成し、この爪部を、端玉貯留皿１５および受け皿１９の他方に形成された凹部に引っ掛けることが考えられる。
【０１１４】
また、遊技媒体貸出機１，２０１の持玉払出動作については、前述の説明の持玉払出動作に代えて次に述べる持玉払出動作を採用することもできる。
すなわち、持玉払出ボタン４８あるいは再貸出ボタン２７が押されると、先ず記憶部３５に記憶されている持玉データから、払い出される持玉の数または当該持玉の数に相当する払出単位の単位数が減算され、記憶部３５に記憶されている持玉データがこの減算後の数に更新される。次いで、管理装置記憶部８に記憶されている持玉データも、減算後の数に更新され、その後、遊技媒体貸出機１から遊技機２に向けてパルスの払出要求信号が送出される。払出動作の完了後は、遊技機２から遊技媒体貸出機１に向けて払出完了信号が送出され、この払出完了信号が遊技媒体貸出機１に受信される。
【０１１５】
この場合において、払出動作の不能や未完了があったときには（払出完了信号が正常に受信できなかった場合には）、その旨を表すエラーがたとえば操作表示部１４に表示されるようになっていてもよい。とくに、モード２やモード３のように、遊技媒体貸出機１と遊技機２との間が個数データ信号を用いて通信される場合には、払出動作の未完了があったときに、その払出し未完了の遊技玉数（持玉数）が、表示されるようになっていてもよい。また、払出動作の不能や未完了の旨を示す信号が管理装置５に送信されるようになっていてもよい。
【０１１６】
また、遊技媒体貸出機１，２０１の貸出動作については、前述の説明の貸出動作に代えて次に述べる貸出動作を採用することもできる。
すなわち、遊技機２における貸出ボタン４５が押されると、先ず記憶部３５に記憶されているプリペイド残高から、払い出される貸玉に相当する度数が減算され、記憶部３５に記憶されているプリペイド残高がこの減算後の度数に更新される。次いで、管理装置記憶部８に記憶されているプリペイド残高も、減算後の度数に更新され、その後、遊技媒体貸出機１から遊技機２に向けてパルスの払出要求信号が送出される。払出動作の完了後は、遊技機２から遊技媒体貸出機１に向けて払出完了信号が送出され、この払出完了信号が遊技媒体貸出機１に受信される。
【０１１７】
この場合において、払出動作の不能や未完了があったときには（払出完了信号が正常に受信できなかった場合には）、その旨を表すエラーがたとえば操作表示部１４に表示されるようになっていてもよいし、その旨を示す信号が管理装置５に送信されるようになっていてもよい。
そして、遊技媒体貸出機１と遊技機２との間が個数データ信号を用いて通信される場合には、貸出しに係る払出動作の未完了があったときには、その払出し未完了の遊技玉数（貸玉数）が、操作表示部１４等に表示されるようになっていてもよい。
【０１１８】
すなわち、遊技機２における貸出ボタン４５が押されると、先ず記憶部３５に記憶されているプリペイド残高から、払い出される貸玉に相当する度数が減算され、記憶部３５に記憶されているプリペイド残高がこの減算後の度数に更新される。次いで、管理装置記憶部８に記憶されているプリペイド残高も、減算後の度数に更新され、その後、遊技媒体貸出機１から遊技機２に向けてパルスの払出要求信号が送出される。払出動作の完了後は、遊技機２から遊技媒体貸出機１に向けて払出完了信号が送出され、この払出完了信号が遊技媒体貸出機１に受信される。
【０１１９】
この場合において、払出動作の不能や未完了があったときには（払出完了信号が正常に受信できなかった場合には）、その旨を表すエラーがたとえば操作表示部１４に表示されるようになっていてもよいし、その旨を示す信号が管理装置５に送信されるようになっていてもよい。
また、貸出媒体として、カード状の貸出媒体以外に、チップ状やスティック状の貸出媒体を用いることもできる。すなわち、これらの貸出媒体に関連付けて持玉データやプリペイド残高が記憶されていてもよい。さらに、貸出媒体として、ＩＣチップ付きの携帯端末（携帯電話機やスマートフォンなど）を用いることもできる。すなわち、ＩＣチップ付きの携帯端末に関連付けて持玉データやプリペイド残高が記憶されていてもよい。
【０１２０】
さらにまた、遊技媒体貸出機１，２０１が、カード状の貸出媒体、チップ状の貸出媒体およびスティック状の貸出媒体の少なくとも２つを用いることが可能（併用可能）な構成であってもよいし、カード状の貸出媒体、チップ状の貸出媒体およびスティック状の貸出媒体の少なくとも１つと、ＩＣチップ付きの携帯端末との双方を用いることが可能（併用可能）な構成であってもよい。
【０１２１】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
また、遊技媒体貸出機１は、遊技媒体として遊技玉を払い出させる（貸し出す）遊技玉貸出機を例に挙げて説明したが、遊技媒体として遊技メダルを払い出させる（貸し出す）遊技メダル貸出機（メダル貸機）を採用することもできる。この場合、遊技機２として、遊技メダルを遊技媒体として使用するパチスロ機を例に挙げることができる。
【０１２２】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
その他、特許請求の範囲に記載された事項の範囲で種々の設計変更を施すことが可能である。
【符号の説明】
【０１２３】
１  遊技媒体貸出機
２  遊技機
９  上皿（遊技機貯留部）
１５  端玉貯留部（貯留部）
２０  計数部（計数手段）
３１  制御部
５１  端玉払出機構（払出機構）
１０１  第１センサ（貯留部着脱検知手段）
１０３  第３センサ（状態検知手段）
１０４  第４センサ（供給樋着脱検知手段）
２０１  遊技媒体貸出機
２０２  ノズル（供給樋）
【図１】
0005931436.tif 000002
【図２】
0005931436.tif 000003
【図３】
0005931436.tif 000004
【図４】
0005931436.tif 000005
【図５】
0005931436.tif 000006
【図６】
0005931436.tif 000007
【図７】
0005931436.tif 000008
【図８】
0005931436.tif 000009
【図９】
0005931436.tif 000010
【図１０】
0005931436.tif 000011
【図１１】
0005931436.tif 000012
【図１２】
0005931436.tif 000013
【図１３】
0005931436.tif 000014
【図１４】
0005931436.tif 000015
【図１５】
0005931436.tif 000016